(57)【要約】【課題】画像形成装置において原本確認を確実に行い、原本確認の結果に基づき、原本が読取処理された画像の出力制御を行う。【解決手段】画像形成装置は、第１の画像に所定の埋め込み情報が埋め込まれた埋込画像を生成する生成手段と、所定の媒体に対する読取処理が行われた結果である第２の画像に、前記生成手段により埋め込まれた前記所定の埋め込み情報が含まれているか否かを判定する判定手段と、前記判定手段により前記所定の情報が含まれていると判定された場合、前記第２の画像を外部出力する出力手段とを有する。【選択図】図５
2014236290.tif 000002
【特許請求の範囲】
【請求項１】
第１の画像に所定の埋め込み情報が埋め込まれた埋込画像を生成する生成手段と、
所定の媒体に対する読取処理が行われた結果である第２の画像に、前記生成手段により埋め込まれた前記所定の埋め込み情報が含まれているか否かを判定する判定手段と、
前記判定手段により前記所定の情報が含まれていると判定された場合、前記第２の画像を外部出力する出力手段とを有する画像形成装置。
【請求項２】
前記判定手段は、前記第２の画像に含まれる記入内容と前記所定の埋め込み情報とが一致するか否かを判定し、
前記出力手段は、前記判定手段により前記手書きの記入内容と前記所定の埋め込み情報とが一致すると判定された場合、前記第２の画像を外部出力する請求項１記載の画像形成装置。
【請求項３】
前記生成手段は、前記埋め込み情報が前記第１の画像に含まれる文字及び／又は図形の輪郭の一部に埋め込まれた埋込画像を生成する請求項１又は２記載の画像形成装置。
【請求項４】
前記第２の画像から該第２の画像に含まれる前記埋め込み情報を抽出する抽出手段を有し、
前記判定手段は、前記抽出手段により抽出された前記埋め込み情報と、前記生成手段により埋め込まれた前記所定の埋め込み情報とが一致するか否かを判定する請求項１乃至３のいずれか一項に記載の画像形成装置。
【請求項５】
前記生成手段により前記埋込画像が生成された場合、該埋込画像に基づく印刷処理を行う請求項１乃至４のいずれか一項に記載の画像形成装置。
【請求項６】
前記出力手段は、前記判定手段により前記所定の情報が含まれていると判定された場合、前記第２の画像を外部装置に送信する請求項１乃至５のいずれか一項に記載の画像形成装置。
【請求項７】
前記所定の埋め込み情報は、当該画像形成装置においてユーザ認証を行ったユーザを識別するユーザ識別情報を含む請求項１乃至６のいずれか一項に記載の画像形成装置。
【請求項８】
前記所定の埋め込み情報は、前記埋込画像を一意に識別する画像識別情報を含む請求項１乃至７のいずれか一項に記載の画像形成装置。
【請求項９】
画像形成装置において実行されるプログラムであって、
前記画像形成装置を、
第１の画像に所定の埋め込み情報が埋め込まれた埋込画像を生成する生成手段、
所定の媒体に対する読取処理が行われた結果である第２の画像に、前記生成手段により埋め込まれた前記所定の埋め込み情報が含まれているか否かを判定する判定手段、
前記判定手段により前記所定の情報が含まれていると判定された場合、前記第２の画像を外部出力する出力手段として機能させるプログラム。
【請求項１０】
画像形成装置と、該画像形成装置を使用するユーザ本人を証明する情報を管理する管理サーバとを有する審査システムであって、
前記画像形成装置は、
第１の画像に所定の埋め込み情報が埋め込まれた埋込画像を生成する生成手段と、
所定の媒体に対する読取処理が行われた結果である第２の画像に、前記生成手段により埋め込まれた前記所定の埋め込み情報が含まれているか否かを判定する判定手段と、
前記判定手段により前記所定の情報が含まれていると判定された場合、前記第２の画像を前記管理サーバに送信する画像送信手段とを有し、
前記管理サーバは、
当該管理サーバが管理する前記ユーザ本人を証明する情報と前記画像形成装置から送信された前記第２の画像に含まれるユーザ本人を証明する情報とを照合し、前記ユーザ本人の真正性を審査する審査手段と、
前記審査手段による審査の結果を前記画像形成装置に送信する審査結果送信手段とを有する審査システム。
【発明の詳細な説明】
【技術分野】
【０００１】
本発明は、画像形成装置、プログラム及び審査システムに関する。
【背景技術】
【０００２】
一般に、金融機関への融資等の申請には捺印や署名された申請用紙が用いられ、捺印された印鑑の照合により、申請者の本人確認が行われている。そのため、申請者は必要事項を記入し、捺印等を行った申請用紙を、金融機関に届けたり、窓口に持って行ったりしなければならず手間がかかるという問題がある。また、金融機関においても窓口対応等の負担が問題となる。一方、金融機関での本人確認は、通常、印鑑照合に加え、運転免許証等による身分証明書を行っているが、例えば、印鑑及び身分証明書等が盗難された場合には、必ずしも安全に取引できるとは限らないといった問題もある。
【０００３】
そこで、特許文献１には、金融機関での口座からの払出等の手続きにおいて、払出申込書の印影を登録印影と自動的に照合する技術が開示されている。具体的には、まず口座開設の申込書に押印された印鑑の印影、すなわち、金融機関２０に登録する登録印影が、電子透かしデータに変換され、該電子透かしデータが埋め込まれた事項が通帳に印字される。そして、現金払出時においては、通帳の記載事項から電子透かしデータとして埋め込まれた登録印影を抽出し、払出申込書の印影を抽出された登録印影と照合することにより実現される。
【発明の概要】
【発明が解決しようとする課題】
【０００４】
しかしながら、特許文献１には、印影を電子データに変換し自動的に印鑑照合を行うことで、金融機関における事務処理を効率化することができるが、金融機関の窓口での対応に用いられる技術であるため、わざわざ顧客が金融機関に行かざるを得ず上記問題は解決されない。また、上述した第三者による盗難等による不正使用の問題も解決されない。
【０００５】
そこで、本発明は、上記の点に鑑みてなされたものであって、画像形成装置において原本確認を確実に行い、原本確認の結果に基づき、原本が読取処理された画像の出力制御を行うことを目的とする。
【課題を解決するための手段】
【０００６】
上記課題を解決するため、画像形成装置は、第１の画像に所定の埋め込み情報が埋め込まれた埋込画像を生成する生成手段と、所定の媒体に対する読取処理が行われた結果である第２の画像に、前記生成手段により埋め込まれた前記所定の埋め込み情報が含まれているか否かを判定する判定手段と、前記判定手段により前記所定の情報が含まれていると判定された場合、前記第２の画像を外部出力する出力手段とを有する。
【発明の効果】
【０００７】
本発明の実施形態によれば、画像形成装置において原本確認を確実に行い、原本確認の結果に基づき、原本が読取処理された画像の出力制御を行うことができる。
【図面の簡単な説明】
【０００８】
【図１】本発明の実施形態における融資審査システムのシステム構成の一例を示す図である。
【図２】本発明の実施形態における融資審査システムの動作概要の一例を示す模式図である。
【図３】本発明の実施形態におけるＭＦＰのハードウェア構成の一例を示す図である。
【図４】本発明の実施形態における管理サーバのハードウェア構成の一例を示す図である。
【図５】本発明の実施形態における融資審査システムの機能構成の一例を示す図である。
【図６】本発明の実施形態における埋め込み情報記憶手段に記憶される情報の一例を示す図である。
【図７】本発明の実施形態における申込書の一例を示す図である。
【図８】本発明の実施形態における埋め込み情報（申請番号）の埋め込み方法の一例を示す図である。
【図９】本発明の実施形態における埋め込み情報（ユーザＩＤ及び融資申込額）の埋め込み方法の一例を示す図である。
【図１０】本発明の実施形態におけるユーザ情報管理ＤＢに記憶される情報の一例を示す図である。
【図１１】本発明の実施形態における売掛金管理ＤＢに記憶される情報の一例を示す図である。
【図１２】本発明の実施形態における融資審査システムの動作手順の一例を示すシーケンス図である。
【図１３】本発明の実施形態におけるＭＦＰの表示装置に表示される画面遷移の一例を示す図である。
【図１４】本発明の実施形態におけるＭＦＰにおける申込書の原本確認判定の処理手順の一例を示すフローチャート図である。
【図１５】本発明の実施形態の変形例における申込書の一例を示す図である。
【図１６】本発明の実施形態の変形例におけるＭＦＰにおける申込書の原本確認判定の処理手順の一例を示すフローチャート図である。
【発明を実施するための形態】
【０００９】
以下、本発明の実施形態（以下、「実施形態」という。）を図面に基づいて説明する。
【００１０】
[システム構成]
図１は、本発明の実施形態における融資審査システム１のシステム構成の一例を示す図である。図１に示されるように、融資審査システム１は、ＭＦＰ（Multifunction  Peripheral）２０ａ、２０ｂ、・・・２０ｎ（それぞれを区別しない場合「ＭＦＰ２０」という。）と、管理サーバ３０と、ユーザ情報管理ＤＢ４０と、売掛金管理ＤＢ５０と、融資審査情報管理ＤＢ６０と、取引銀行サーバ７０とを有する。ＭＦＰ２０と管理サーバ３０とは、インターネット等の有線又は無線のネットワーク９７により接続されている。管理サーバ３０と取引銀行サーバ７０とは、専用線等の有線又は無線のネットワーク９８により接続されている。管理サーバ３０とユーザ情報管理ＤＢ４０と売掛金管理ＤＢ５０と融資審査情報管理ＤＢ６０とは、ＬＡＮ等の有線又は無線のネットワーク９９により接続されている。
【００１１】
ＭＦＰ２０は、画像形成装置の一例である複合機であり、プリンタ及びスキャン機能等の画像処理機能を有する。ＭＦＰ２０は、ＭＦＰ２０の基本機能である画像処理機能の他に、所定の媒体である紙原稿に対してスキャン処理を行ったスキャン画像に対して所定の情報が埋め込まれた画像を生成する画像生成機能、ネットワーク９７を介して管理サーバ３０と通信を行うための通信機能及び認証制御機能等を有する。なお、所定の媒体とは、紙原稿に限らず、例えば紙原稿に対してスキャン処理が行われたスキャン画像等の画像データが含まれる。また、ＭＦＰ２０は、ＩＣチップが搭載されたＩＣカード１０を読み込むＩＣカードリーダを備え、ＩＣカード１０に記憶される情報を取得し、ユーザ認証を行う。ＩＣカード１０に記憶される情報とは、例えばカードを識別するカード番号及びユーザを識別するユーザＩＤである。なお、本発明の実施形態におけるＩＣカード１０は、カードの形状に限らず、例えばＮＦＣ（Near  Field  Communication）通信機能を備えるスマートフォン等の携帯端末であってもよい。また、ＩＣカード１０は、磁気カードであってもよい。また、ＩＣカード１０によるカード認証ではなく、例えばユーザＩＤ及びパスワードを組み合わせたパスワード認証又は指紋認証や虹彩認証等の生体認証により認証を行ってもよい。
【００１２】
管理サーバ３０、ユーザ情報管理ＤＢ４０、売掛金管理ＤＢ５０及び融資審査情報管理ＤＢ６０は、債権回収代行業者により管理される機器である。
【００１３】
なお、管理サーバ３０は、債権回収代行業者に限らず、債権回収代行業者とは異なる他のサービス業者により管理される場合がある。この場合、例えばＩＣカード１０による認証処理や融資審査結果の通知等の処理（例えば後述する図２の（４）、（５）、（９）、（１０）の動作）の一部又は全てを他のサービス業者が実施してもよい。
【００１４】
管理サーバ３０は、融資を行うための情報をユーザ情報管理ＤＢ４０、売掛金管理ＤＢ５０及び融資審査情報管理ＤＢ６０を用いて管理したり、融資審査の処理を行ったりするコンピュータである。
【００１５】
ユーザ情報管理ＤＢ４０、売掛金管理ＤＢ５０及び融資審査情報管理ＤＢ６０は、ＮＡＳ（Network  Attached  Storage）等のストレージである。なお、ユーザ情報管理ＤＢ４０、売掛金管理ＤＢ５０及び融資審査情報管理ＤＢ６０は、管理サーバ３０の筐体に含まれる構成であってもよい。
【００１６】
取引銀行サーバ７０は、銀行等の金融機関により管理されるコンピュータであって、売掛先の企業等から振り込まれる売掛金の情報を管理し、売掛金の情報を管理サーバ３０に送信する。
【００１７】
本発明の実施形態における融資審査システム１の動作概要を、図２を用いて説明する。図２は、本発明の実施形態における融資審査システム１の動作概要の一例を示す模式図である。なお、次の（１）〜（３）は、売掛金（売掛金の情報）の流れを示したものであり、融資審査システム１の動作前又は動作と平行して行われる。
【００１８】
（１）企業Ａが企業Ｂに対して、製品やサービスを提供する。
【００１９】
（２）取引銀行サーバ７０は、売掛先である企業Ｂから企業Ａへの売掛金の振込みを受け付けると、売掛金の情報を記憶する。
【００２０】
（３）取引銀行サーバ７０は、例えば売掛金の振込みの都度、売掛金の情報を管理サーバ３０に送信する。
【００２１】
（４）企業Ａの社員が、売掛金を担保とした融資を申し込むため、ＩＣカード１０をＭＦＰ２０が備えるＩＣカードリーダにかざす。ＩＣカード１０がかざされると、ＭＦＰ２０は認証要求を管理サーバ３０にする。この認証要求には、ＩＣカード１０のカード番号及びユーザＩＤ等が含まれる。
【００２２】
（５）管理サーバ３０が認証要求に含まれるカード番号及びユーザＩＤに基づき認証を行い、認証結果と、認証が成功した場合は企業Ａの売掛金を担保とした融資可能額を示す情報とを、ＭＦＰ２０に送信する。
【００２３】
（６）ＭＦＰ２０は、認証結果及び融資可能額（認証が成功した場合）をＭＦＰ２０が備える表示装置（操作パネルや外部ディスプレイ等）に表示させ、ユーザからの融資申込額の入力を受け付ける。そして、企業Ａ社員により入力された融資申込額の情報やユーザＩＤ等の埋め込み情報が埋め込まれた融資の申込書の画像データである埋込画像を生成し、申込書を印刷する。なお、埋込画像を生成する方法の詳細は後述する。
【００２４】
（７）企業Ａ社員が必要事項の記入及び捺印又は署名をした申込書を、ＭＦＰ２０においてスキャン処理を行う。
【００２５】
（８）ＭＦＰ２０は、紙原稿（申込書）がスキャン処理された画像データを解析し、画像に含まれる埋め込み情報を抽出し、申込書が原本であるか否かを判定する。
【００２６】
（９）申込書が原本であると判定された場合、ＭＦＰ２０は原本確認が行われた申込書の画像データ（以下、「申込書画像」という。）を含む融資審査要求を管理サーバ３０に送信する。
【００２７】
なお、申込書が原本でないと判定された場合、申込書画像は送信されない。
【００２８】
（１０）管理サーバ３０は、受信した申込書画像に含まれる捺印又は署名に基づき、融資審査を行い、審査結果をＭＦＰ２０に送信する。
【００２９】
上述した動作手順により、融資審査システム１は、ＭＦＰ２０における申込書が原本であるか否かを判定し、その判定結果に基づき、融資の申込処理を実行するか否か、すなわち申込書画像を送信するか否かを制御できる。そして、ＭＦＰ２０から原本保証が行われた申込書画像を、ネットワークを介して、融資の審査を行う管理サーバ３０に送信し、その応答として審査結果をＭＦＰ２０等で表示させることができる。
【００３０】
これにより、ユーザ毎に印刷される申込書の原本保証を簡単に行うことができる。また、例えば、申込書が第三者により偽造されたりしても、ＭＦＰ２０が融資の申込処理が実行されないように申込書画像の送信を制御するため、一般に行われる申込書の捺印又は署名の正当性の確認のみの場合より、より高度なセキュリティを提供できる。
【００３１】
［ハードウェア構成］
＜ＭＦＰ＞
図３は、本発明の実施形態におけるＭＦＰ２０のハードウェア構成の一例を示す図である。
【００３２】
ＭＦＰ２０は、コントローラ２４０、操作パネル２１４、ＦＣＵ（ファクシミリコントロールユニット）２１１、スキャナエンジン２１２及びプロッタエンジン２１３を有する。
【００３３】
コントローラ２４０は、ＣＰＵ２０１と、ＡＳＩＣ２０５と、ＮＢ（ノースブリッジ）２０２と、ＳＢ（サウスブリッジ）２０６と、ＭＥＭ−Ｐ（システムメモリ）２０３と、ＭＥＭ−Ｃ（ローカルメモリ）２０４と、ＨＤＤ（ハードディスクドライブ）２１８と、メモリカードスロット２１６と、ＮＩＣ（ネットワークインタフェースコントローラ）２０７と、ＵＳＢデバイス２０８と、ＩＥＥＥ１３９４デバイス２０９と、セントロニクスデバイス２１０とを有する。
【００３４】
ＣＰＵ２０１は、種々の情報処理を実行するためのＩＣであり、アプリやサービスを提供するプログラムをＵＮＩＸ（登録商標）、Ｌｉｎｕｘ（登録商標）等のＯＳによりプロセス単位で並列的に実行する。ＡＳＩＣ２０５は、画像処理用のＩＣである。ＮＢ２０２は、ＣＰＵ２０１とＡＳＩＣ２０５を接続するためのブリッジである。ＳＢ２０６は、ＮＢ２０２と周辺機器等を接続するためのブリッジである。ＡＳＩＣ２０５とＮＢ２０２は、ＡＧＰ（Accelerated  Graphics  Port）を介して接続されている。
【００３５】
ＭＥＭ−Ｐ２０３は、ＮＢ２０２に接続されたメモリである。ＭＥＭ−Ｃ２０４は、ＡＳＩＣ２０５に接続されたメモリである。ＨＤＤ２２０は、ＡＳＩＣ２０５に接続されたストレージであり、画像データ蓄積・文書データ蓄積・プログラム蓄積・フォントデータ蓄積・フォームデータ蓄積等を行うために使用される。
【００３６】
メモリカードスロット２１６は、ＳＢ２０６に接続され、メモリカード２１７をセット（挿入）するために使用される。メモリカード２１７は、ＵＳＢメモリ等のフラッシュメモリであり、プログラム２２０を配布するために使用される。
【００３７】
ＮＩＣ２０７は、ネットワーク等を介してＭＡＣアドレス等を使用したデータ通信を行うためのコントローラである。
【００３８】
ＵＳＢホスト２０８は、認証情報の入力に用いられるＩＣカードリーダ２５０、外部ディスプレイ２６０、スピーカ２７０及び操作パネル２１４とＵＳＢケーブルを介して接続するためのＵＳＢ規格に準拠したインタフェースである。
【００３９】
ＩＣカードリーダ２５０は、ＩＣチップが搭載されたＩＣカード１０からカード情報（カード番号及びユーザＩＤ等）を読み取るいわゆるカードリーダ（カード読み取り装置）であり、ＵＳＢホスト２０８と接続可能なＵＳＢコネクタを備える。但し、ＩＣカードリーダ２５０は、ＭＦＰ２０に内蔵されていてもよい。ＩＣカードリーダ２５０は、接触型又は非接触型のいずれであってもよい。なお、認証に用いられるカード及びカードリーダは、ＩＣチップが搭載されたＩＣカード１０、ＩＣカードリーダ２５０に限らず、磁気カード、磁気カードリーダ等であってもよい。
【００４０】
外部ディスプレイ２６０は、ＭＦＰ２０がユーザに可視情報を提供するための液晶又は有機ＥＬ（Electro  Luminescence）ディスプレイである。また外部ディスプレイ２６０はタッチパネル機能を備えていてもよい。なお、本発明の実施形態において外部ディスプレイ２６０は、任意に備えていればよい。
【００４１】
操作パネル２１４は、ＭＦＰ２０がユーザに可視情報を提供するための表示部２１５を有するハードウェアである。また、操作パネル２１４は、ユーザがＭＦＰ２０に入力を行うためのハードウェア（操作部）である。操作パネル２１４は、ＵＳＢホスト２０８と接続可能なＵＳＢコネクタを備え、ＵＳＢホスト２０８に接続されている。ＦＣＵ２１１と、スキャナエンジン２１２と、プロッタエンジン２１３は、ＰＣＩバスを介してＡＳＩＣ２０５に接続されている。
【００４２】
ＩＥＥＥ１３９４デバイス２０９は、ＩＥＥＥ１３９４規格に準拠したシリアルポートを提供するためのデバイスである。セントロニクスデバイス２１０は、セントロニクス仕様に準拠したパラレルポートを提供するためのデバイスである。ＮＩＣ２０７と、ＵＳＢデバイス２０８と、ＩＥＥＥ１３９４デバイス２０９と、セントロニクスデバイス２１０は、ＰＣＩ（Peripheral  Component  Interconnect）バスを介してＮＢ２０２とＳＢ２０６に接続されている。
【００４３】
プログラム２２０には、ＯＳ、ミドルウェア、及び下記の機能を提供するプログラムが含まれる。プログラム２２０は、インストール可能な形式又は実行可能な形式のファイルで、コンピュータで読み取り可能な記録メディアに記録して配布される。また、プログラム２２０は、外部のサーバからインストール可能な形式又は実行可能な形式のファイルで配布される。
【００４４】
スキャナエンジン２１２は、コンタクトガラスに載置された原稿を光学的に走査して、その反射光をＡ／Ｄ変換して画像処理を施し、所定の解像度のデジタルデータ（以下、「画像データ」という。）を生成する。
【００４５】
プロッタエンジン２１３は、例えばタンデム型の感光ドラムを有し、画像データやＰＣ３３０から受信したＰＤＬデータに基づきレーザビームを変調し感光ドラムを走査して潜像を形成する。潜像にトナーを付着して現像した一ページ毎の画像を用紙に熱と圧力で転写する。このような電子写真方式のプロッタに限られず、液滴を吐出して画像を形成するインクジェット型のプロッタエンジンでもよい。
【００４６】
ＦＣＵ２１１は、ＮＩＣ２０７を介してネットワークに接続し例えばＴ.３７、Ｔ.３８の規格に対応した通信手順、又は、公衆通信網に接続し例えばＧ３、Ｇ４規格に対応した通信手順、に従い画像データの送受信を行う。また、ＭＦＰ２０の電源がＯＦＦのときに画像データを受信しても、プロッタエンジン２１３を起動して画像データを用紙に印刷することができる。
【００４７】
このように、本発明の実施形態におけるＭＦＰ２０では、上記ハードウェア構成により、コピー、プリンタ、ファクシミリ、スキャナ等の複数の機能、認証機能及び通信機能等を実現している。
【００４８】
＜管理サーバ＞
図４は、本発明の実施の形態における管理サーバ３０のハードウェア構成の一例を示す図である。管理サーバ３０は、それぞれバスBで相互に接続されているドライブ装置３００、補助記憶装置３０２と、メモリ装置３０３と、ＣＰＵ３０４及びインタフェース装置３０５とを有する。
【００４９】
管理サーバ３０での処理を実現するプログラム３１０は、ＣＤ−ＲＯＭ等の記録媒体３０１によって提供される。プログラム３１０を記録した記録媒体３０１がドライブ装置３００にセットされると、プログラム３１０が記録媒体３０１からドライブ装置３００を介して補助記憶装置３０２にインストールされる。但し、プログラム３１０は、記録媒体３０１により配布される他に外部のコンピュータからのダウンロードにより配布してもよい。
【００５０】
補助記憶装置３０２は、インストールされたプログラム３１０を格納する。補助記憶装置３０２は、ＨＤＤやＳＳＤ等の不揮発メモリである。
【００５１】
メモリ装置３０３は、プログラム３１０の起動指示があった場合に、補助記憶装置３０２からプログラム３１０を読み出して格納する。メモリ装置３０３は、例えばＤＩＭＭ、ＳＯ−ＤＩＭＭ等である。ＣＰＵ３０４は、メモリ装置３０３に格納されたプログラム３１０に従って管理サーバ３０に係る機能を実行する。インタフェース装置３０５は、ネットワークに接続するためのインタフェース（例えばイーサネット（登録商標））のネットワークカードである。
【００５２】
上述したハードウェア構成に基づき、管理サーバ３０は、ＩＣカード１０に基づく認証処理を行ったり、融資の審査を行ったりする。
【００５３】
なお、取引銀行サーバ７０のハードウェア構成は、管理サーバ３０と同様なハードウェア構成であればよい。
【００５４】
［機能構成］
図５は、本発明の実施形態における融資審査システム１の機能構成の一例を示す図である。
【００５５】
＜ＭＦＰ＞
ＭＦＰ２０は、カード情報取得手段２１、表示制御手段２２、入力受付手段２３、印刷手段２４、読取手段２５及び埋め込み情報記憶手段２６並びに融資実行アプリ２７に含まれる認証要求手段２７１、埋込画像生成手段２７２、画像解析手段２７３、判定手段２７４、申込書画像送信手段２７５及び審査結果受信手段２７６等を有する。これら各手段は、ＭＦＰ２０にインストールされたプログラム２２０がＣＰＵ２０１に実行させる処理により実現される。
【００５６】
カード情報取得手段２１は、ＩＣカードリーダ２５０がＩＣカード１０から読み取ったカード情報をＩＣカードリーダ２５０より取得する。カード情報とは、上述したようにカードを一意に識別するカード番号、ＩＣカード１０の所有者を識別するユーザＩＤである。そして、カード情報取得手段２１は、取得したカード情報を認証要求手段２７１に通知する。
【００５７】
表示制御手段２２は、外部ディスプレイ２６０又は操作パネル２１４を制御し、ユーザに対する情報を出力する。
【００５８】
入力受付手段２３は、外部ディスプレイ２６０又は操作パネル２１４が備えるタッチパネル又は操作パネル２１４が備えるハードキーを制御し、ユーザからの入力指示を受け付ける。
【００５９】
印刷手段２４は、プロッタエンジン２１３を制御し、印刷処理を行う。
【００６０】
読取手段２５は、スキャナエンジン２１２を制御し、紙原稿に対してスキャン処理を行い、スキャン画像を生成する。なお、紙原稿に対してスキャン処理を行う代わりに、例えばＦＡＸで申込書を受信したりしてスキャン画像に相当する申込書の画像データを取得してもよい。
【００６１】
埋め込み情報記憶手段２６は、融資の申込書様式の画像データに埋め込まれた埋め込み情報を記憶する。図６は、本発明の実施形態における埋め込み情報記憶手段２６に記憶される情報の一例を示す図である。図６に示されるように、埋め込み情報記憶手段２６は、融資の申込書を識別する申請番号、ユーザＩＤ、融資申込額、出力年月日及び機器ＩＤ等のデータ項目を有する。申請番号は、埋め込み情報記憶手段２６において一意に割り振られる識別番号である。なお、申請番号に対応するユーザＩＤ等の項目が空欄である場合、その申請番号は未使用であり、埋め込み情報として使用可能な番号であることを示す。ユーザＩＤは、認証処理を行ったユーザのユーザ識別情報である。融資申込額は、ユーザにより入力された、ユーザが融資を希望する額である。出力年月日は、埋め込み情報が埋め込まれた埋込画像が印刷出力された年月日である。なお、出力年月日は、例えば年月日に加え、時分秒を示す情報としてもよい。機器ＩＤは、ＭＦＰ２０を一意に識別するための識別情報である。なお、機器ＩＤには、埋込画像を生成したＭＦＰ２０の機器ＩＤが設定される。
【００６２】
融資実行アプリ２７は、融資を申し込み、審査結果を得るために用いられるアプリケーションである。融資実行アプリ２７は、予めＭＦＰ２０にインストールされている。融資実行アプリ２７が有する各機能について説明する。
【００６３】
認証要求手段２７１は、ユーザが使用するＭＦＰ２０の機器ＩＤとカード情報取得手段２１から通知された取得したカード情報とを含む認証要求を生成し、その認証要求を管理サーバ３０に送信する。また、認証要求手段２７１は、認証要求に対する応答である認証結果を含む認証要求応答を受信する。認証要求応答には、認証が成功した場合には、ＩＣカード１０のユーザの融資可能額、ユーザの所属する企業名（法人名）、企業の所在地、ユーザ本人の氏名、ユーザ本人の住所等を示す情報が含まれる。認証要求手段２７１は、認証要求応答に含まれる認証結果及び融資可能額（認証が成功した場合）を、外部ディスプレイ２６０又は操作パネル２１４への表示出力を表示制御手段２２に要求する。
【００６４】
埋込画像生成手段２７２は、融資の申込書様式の画像データ（以下、「申込書様式画像」という。）に含まれる文字や図形の輪郭の一部に、所定の埋め込み情報が埋め込まれた埋込画像を生成する。所定の埋め込み情報は、申込書を識別する申請番号、認証を行ったユーザのユーザＩＤ、融資申込額を示す情報及び機器ＩＤ等が含まれる。申請番号は、埋め込み情報記憶手段２６を参照し、未使用である申請番号が割り当てられる。ユーザＩＤは認証処理を行ったユーザのユーザＩＤである。融資申込額は、ユーザにより入力された融資申込額である。埋込画像生成手段２７２による埋め込み情報を申込書様式画像に埋め込む方法を説明する。
【００６５】
印刷出力される融資の申込書は、例えば図７に示すような情報が含まれる。図７は、本発明の実施形態における申込書の一例を示す図である。図７に示されるように、埋込画像生成手段２７２が埋込画像の生成時に「法人名」、法人の「所在地」、融資を申し込むユーザの「氏名」、ユーザの「住所」及び「融資申込額」の項目が入力された画像を生成する。ユーザは、申込書において「実印」に捺印し、任意の「融資希望日」及び「返済回数」を記入する。具体的に、埋込画像生成手段２７２による埋め込み方法は、図８及び図９のように行われる。
【００６６】
図８は、本発明の実施形態における埋め込み情報（申請番号）の埋め込み方法の一例を示す図である。例えば、申請番号が「０１２３」である場合、図８に示すように、埋込画像生成手段２７２は、申込書の文字「融」の輪郭に申請番号「０１２３」を二進数で示した「１１１１０１１」を凹凸として付加する。なお、この凹凸は、埋込画像生成手段２７２により肉眼では判別できない又は判別しづらいように形成される。これにより、埋込画像の複製が困難となり、偽造やなりすましの対策として有効である。また、図９は、本発明の実施形態における埋め込み情報（ユーザＩＤ及び融資）の埋め込み方法の一例を示す図である。例えば、ユーザＩＤが「１２３４５６」である場合、図９に示すように、埋込画像生成手段２７２は、埋込画像生成手段２７２申込書に含まれる罫線に、ユーザＩＤ「１２３４５６」を二進数で示した「１１１１０００１００１００００００」を凹凸として付加する。同様に、融資申込額が「５０００００」円である場合、図９に示すように、埋込画像生成手段２７２は、申込書に含まれる罫線に、融資申込額「５０００００」を二進数で示した「１１１１０１００００１００１０００００」を凹凸として付加する。なお、図９の場合も図８の例と同様に、埋め込み情報の埋め込む場所が罫線であっても、凹凸が肉眼では判別できない又は判別しづらいように形成される。なお、罫線は、図形の一例である。なお、本発明の実施形態において、ユーザＩＤは例えば３２ｂｉｔ、融資申込額は９６ｂｉｔの範囲内で設定できる。また、申込書において埋め込み情報を埋め込む場所は、図８、図９に示した場所に限らず任意に設定できる。また、埋め込み情報には、例えばユーザの氏名や埋込画像が生成された時刻を示すタイムスタンプ、ＭＦＰ２０を識別する機器ＩＤ等をさらに含まれるようにしてもよい。なお、埋込画像生成手段２７２が埋め込み情報を埋め込む方法は、上述した図８、図９に示した方法に限らず、例えばバーコードやＱＲコード（登録商標）により所定の埋め込み情報を埋め込んでもよい。
【００６７】
図５に戻り説明する。なお、埋込画像生成手段２７２は、申込書をコピーした場合に所定の文字が表示されるような地紋を含めるように申込書の画像データを生成してもよい。これにより、申込書の原本と原本のコピーとの区別ができるようになる。
【００６８】
画像解析手段２７３は、読取手段２５により紙原稿がスキャン処理されたスキャン画像を解析し、スキャン画像に含まれる埋め込み情報を抽出する。そして、画像解析手段２７３は、抽出した埋め込み情報を判定手段２７４に出力する。
【００６９】
判定手段２７４は、画像解析手段２７３から出力された埋め込み情報が埋め込み情報記憶手段２６に記憶される情報と一致するか否かを判定する。具体的には、埋め込み情報記憶手段２６に記憶される、抽出された埋め込み情報に含まれる申請番号に対応するユーザＩＤ及び融資申込額が、抽出された埋め込み情報に含まれるユーザＩＤ及び融資申込額と一致するか否かを判定する。一致すると判定された場合、スキャン画像が原本であることが示される。この場合、判定手段２７４は、スキャン画像である申込書画像の管理サーバ３０への送信処理を、申込書画像送信手段２７５に要求する。一方、一致しないと判定された場合、送信処理は実行されず、送信不可を示す情報が表示される。
【００７０】
申込書画像送信手段２７５は、判定手段２７４からの指示に基づき、申込書画像を外部装置である管理サーバ３０に送信する。なお、申込書画像送信手段２７５は、例えばＵＳＢメモリ等の記録媒体に外部出力するようにしてもよい。
【００７１】
審査結果受信手段２７６は、管理サーバ３０から送信された融資申し込みの審査結果を受信し、受信した審査結果を表示制御手段２２に通知する。
【００７２】
＜管理サーバ＞
管理サーバ３０は、認証手段３１、売掛金データ管理手段３２、申込書画像受信手段３３、審査手段３４及び審査結果送信手段３５等を有する。これら各手段は、管理サーバ３０にインストールされたプログラム３１０がＣＰＵ３０４に実行させる処理により実現される。
【００７３】
また、管理サーバ３０は、ユーザ情報管理ＤＢ４０、ＭＦＰ情報管理ＤＢ４１、売掛金管理ＤＢ５０及び融資審査情報管理ＤＢ６０と接続し、各機能は上記データベース（ＤＢ）を参照する。まず、各ＤＢについて説明する。
【００７４】
ユーザ情報管理ＤＢ４０は、図１０に示されるように、ＩＣカード１０を所有するユーザに関する情報が記憶される。図１０は、本発明の実施形態におけるユーザ情報管理ＤＢ４０に記憶される情報の一例を示す図である。図１０に示されるように、ユーザ情報管理ＤＢ４０は、「カード番号」、「ユーザＩＤ」、「ユーザ名」及び「ユーザ住所」等のデータ項目を有する。「カード番号」は、ＩＣカード１０のカード番号である。「ユーザＩＤ」は、カード番号に対応付けられた、ＩＣカード１０のユーザを一意に識別するユーザ識別情報である。「ユーザ名」は、ＩＣカード１０を所有するユーザの名称である。「ユーザ住所」は、ユーザの現住所である。本発明の実施形態において、ユーザ情報管理ＤＢ４０に記憶されるカード番号を所有するユーザが、融資の申し込みを行うことができる。
【００７５】
ＭＦＰ情報管理ＤＢ４１は、融資審査システム１を利用可能なＭＦＰ２０の機器ＩＤが記憶される。
【００７６】
売掛金管理ＤＢ５０は、図１１に示されるように、企業（法人）の売掛金に関する情報が記憶される。図１１は、本発明の実施形態における売掛金管理ＤＢ５０に記憶される情報の一例を示す図である。図１０に示されるように、ユーザ情報管理ＤＢ４０は、「法人ＩＤ」、「法人名」、「法人所在地」、「融資申込可能ユーザＩＤ」、「売掛金合計額」、「債権ＩＤ」、「売掛先」及び等のデータ項目を有する。「法人ＩＤ」は、法人を一意に識別するための識別情報である。「法人名」は、製品又はサービスを提供した法人の名称である。なお、法人に限らず、個人であってもよい。「法人所在地」は、法人の所在地を示す住所である。「融資可能ユーザＩＤ」は、法人に属する社員等であって、売掛金を担保に融資の申し込みを可能とするユーザのユーザＩＤである。「売掛金合計額」は、法人毎の「売掛先」に対応する「売掛金」の合計の金額である。
【００７７】
融資審査情報管理ＤＢ６０は、ユーザＩＤと、そのユーザの印鑑等の画像とを対応付けて記憶する。融資審査情報管理ＤＢ６０は、融資の申込書に捺印された印鑑の真正性を照合するために用いられるＤＢである。
【００７８】
なお、上述したように、図５の例では、各ＤＢは管理サーバ３０と外部接続するＮＡＳのような構成としたが、各ＤＢに記憶される上記情報が管理サーバ３０の記憶装置に記憶されるような構成としてもよい。
【００７９】
続いて、管理サーバ３０が備える各機能を説明する。
【００８０】
認証手段３１は、ＭＦＰ２０から送信される認証要求を受け付けると、ユーザ情報管理ＤＢ４０（図１０）に記憶されるユーザ情報に基づき認証処理を行う。具体的には、認証手段３１は、ユーザ情報管理ＤＢ４０を参照し、認証要求に含まれるカード番号及びユーザＩＤがユーザ情報管理ＤＢ４０に記憶されているカード番号及びユーザＩＤと一致するか否かを判定する。一致する場合、認証は成功したと判定され、一致しない場合、認証は失敗したと判定される。さらに、認証が成功した場合、認証手段３１は、売掛金データ管理手段３２を介し、売掛金管理ＤＢ５０（図１１）に記憶される融資申込可能ユーザＩＤのうち、認証要求に含まれるユーザＩＤと一致するものを検索する。そして、一致する融資申込可能ユーザＩＤに対応する売掛金合計額、法人名及び法人所在地を取得する。そして、認証手段３１は、認証結果並びに認証が成功した場合は融資可能額である売掛金合計額、ユーザ名、ユーザ住所、法人名及び法人所在地を示す情報を、ＭＦＰ２０に送信する。
【００８１】
売掛金データ管理手段３２は、取引銀行サーバ７０から受信した売掛先毎の売掛金の振り込み（支払い）状況を示す情報を、売掛金データ管理ＤＢ５０に記憶する。また、売掛金データ管理手段３２は、認証手段３１からの要求に応じて、売掛金データ管理ＤＢ５０から情報の読み出し処理を行う。
【００８２】
申込書画像受信手段３３は、ＭＦＰ２０から送信される申込書画像を受信し、審査手段３４に受信した申込書画像を出力する。
【００８３】
審査手段３４は、申込書画像に対してＯＣＲ（Optical  Character  Reader）処理を行い、申込書画像に含まれる印鑑が予め融資審査情報管理ＤＢ６０に登録されている印鑑と一致するか照合を行う。印鑑照合の結果、一致した場合、審査手段３４は、融資実行が可能であると判定し、一方、一致しなかった場合、融資実行が不可であると判定する。そして、審査手段３４は、審査結果を審査結果送信手段３５に出力する。
【００８４】
審査結果送信手段３５は、ＭＦＰ２０に審査結果を示す情報を送信する。なお、審査結果送信手段３５は、例えば予めユーザのメールアドレスが登録されている場合、審査結果をユーザのメールアドレスに送信するようにしてもよい。
【００８５】
次に、本発明の実施形態における融資審査システム１の処理の詳細を説明する。
【００８６】
［動作手順］
図１２は、本発明の実施形態における融資審査システム１の動作手順の一例を示すシーケンス図である。なお、動作手順の説明にあたり、ＭＦＰ２０の表示装置（操作パネル２１４の表示部２１５又は外部ディスプレイ２６０）に表示される画面の例を、図１３を参照しつつ説明する。
【００８７】
まず融資の申込を行いたいユーザは、ＭＦＰ２０において、所持するＩＣカード１０をＭＦＰ２０が備えるＩＣカードリーダ２５０にかざす等をして読み取らせ認証を行う（Ｓ１０１）。なお、認証方法は、ＩＣカード認証に限らず、パスワード認証や生体認証等であってもよい。ＭＦＰ２０のカード情報取得手段２１は、ＩＣカード１０からカード番号及びユーザＩＤを取得する（Ｓ１０２）。カード情報取得手段２１は、取得したカード番号及びユーザＩＤを認証要求手段２７１に出力する。認証要求手段２７１は、ＭＥＭ−Ｐ２０３又はＭＥＭ−Ｃ２０４に記憶されている当該ＭＦＰ２０の機器ＩＤとカード番号及びユーザＩＤとを含む認証要求を生成し、管理サーバ３０に送信する（Ｓ１０３）。
【００８８】
管理サーバ３０の認証手段３１が認証要求を受信すると、認証要求に含まれる機器ＩＤがＭＦＰ情報管理ＤＢ４１に記憶される情報と一致するか、またカード番号及びユーザＩＤが、ユーザ情報管理ＤＢ４０（図１０）に記憶される情報と一致するか否かを判定する（Ｓ１０４）。なお、機器ＩＤの認証は、例えばＩＣカード認証後、認証要求が行われる前やＭＦＰ２０の電源オン時に実行されるようにしてもよい。ここで、ステップＳ１０４において一致すると判定された場合、すなわち認証が成功した場合、認証手段３１は、売掛金データ管理手段３２を介し、売掛金管理ＤＢ５０（図１１）に記憶される融資申込可能ユーザＩＤのうち、認証要求に含まれるユーザＩＤに対応する売掛金合計額、法人名及び法人所在地を読み出す（Ｓ１０５）。ここで、売掛金合計額は、ユーザの融資可能額に相当する。そして、認証手段３１は、認証結果並びに認証が成功した場合は融資可能額である売掛金合計額、ユーザ名、ユーザ住所、法人名及び法人所在地を示す情報を、ＭＦＰ２０に送信する（Ｓ１０６）。
【００８９】
ＭＦＰ２０の認証要求手段２７１が認証結果を受信すると、認証成功の場合、図１３（ａ）に示される融資実行確認画面を表示制御手段２２に表示させる（Ｓ１０７）。なお、認証結果が認証失敗である場合、図１３（ｂ）に示される認証失敗を示す画面が表示される。また、認証要求手段２７１は、受信した融資可能額である売掛金合計額、ユーザ名、ユーザ住所、法人名及び法人所在地を示す情報を、一時的にメモリ装置に記憶しておく。
【００９０】
ユーザが融資実行確認画面（図１３（ａ））において、融資を申し込むために「ＹＥＳ」ボタンを押下すると、図１３（ｃ）に示される申込書印刷画面に遷移する。申込書印刷画面には、ステップＳ１０６において受信した、認証を行ったユーザの氏名、ユーザＩＤ及び融資可能額並びに融資申込額の入力欄が表示される。ユーザは、融資申込額の入力欄に、融資を申し込む金額を入力し、「申込書印刷」ボタンを押下する（Ｓ１０８）と、入力受付手段２３は、埋込画像生成手段２７２に、入力された融資申込額を出力する。埋込画像生成手段２７２は、埋め込み情報記憶手段２６から未使用の申請番号を読み出し、その申請番号、入力された融資申込額及び一時的にメモリ装置に記憶されたユーザＩＤを含む埋め込み情報が埋め込まれた埋込画像を生成する（Ｓ１０９）。なお、このときユーザにより入力された融資申込額が、融資可能額以下であるか否かを判定し、入力された融資申込額が融資可能額以下の場合のみ埋込画像を生成するように処理を行ってもよい。また、埋込画像生成手段２７２は、埋め込み情報を、申請番号に対応付けて、埋め込み情報記憶手段２６に記憶する。そして、印刷手段２４は、埋込画像生成手段２７２が生成した申込書の埋込画像に基づく申込書（図７）を印刷出力する（Ｓ１１０）。
【００９１】
ユーザが印刷された申込書において必要事項の記入及び捺印を行い、申込書をＭＦＰ２０の自動原稿送り装置又は原稿ガラスにセットし、ＭＦＰ２０の表示装置に表示されている図１３（ｄ）に示される申込書画像送信指示画面において「スキャン実行」ボタンを押下する（Ｓ１１１）。読取手段２５により紙原稿（申込書）がスキャン処理された（Ｓ１１２）スキャン画像を、画像解析手段２７３が解析し、埋め込み情報を抽出する（Ｓ１１３）。そして、画像解析手段２７３は、抽出した埋め込み情報を判定手段２７４に出力する。判定手段２７４は、スキャン画像が申込書の原本に基づく画像であるかを判定する（Ｓ１１４）。具体的には、判定手段２７４は、画像解析手段２７３から出力された埋め込み情報が埋め込み情報記憶手段２６に記憶される情報と一致するか否かを判定する。
【００９２】
判定手段２７４により一致すると判定された場合、すなわちスキャン画像が原本である場合、申込書画像送信手段２７５は、スキャン画像である申込書画像を管理サーバ３０に送信する（Ｓ１１５）。
【００９３】
管理サーバ３０の申込書画像受信手段３３が申込書画像を受信すると、審査手段３４に申込書画像に基づく融資審査の処理の実行を要求する。審査手段３４は、申込書画像に含まれる印鑑が予め融資審査情報管理ＤＢ６０に登録されている印鑑と一致するか照合を行い、融資審査を行う（Ｓ１１６）。そして、審査手段３４は、照合に基づく審査結果を、審査結果送信手段３５を介し、ＭＦＰ２０に送信する（Ｓ１１７）。
【００９４】
ＭＦＰ２０の審査結果受信手段２７６が審査結果を受信すると、図１３（ｅ）に示される審査結果通知画面を、表示制御手段２２を介してＭＦＰ２０の表示装置に表示させる（Ｓ１１８）。
【００９５】
一方、ステップＳ１１４において、判定手段２７４により、画像解析手段２７３から出力された埋め込み情報が埋め込み情報記憶手段２６に記憶される情報と一致しないと判定された場合、図１３（ｆ）に示されるような申込書画像送信ＮＧ画面を、表示制御手段２２を介してＭＦＰ２０の表示装置に表示させる（Ｓ１１９）。
【００９６】
［処理手順］
図１４は、本発明の実施形態におけるＭＦＰ２０における申込書の原本確認判定の処理手順の一例を示すフローチャート図である。
【００９７】
まずユーザにより紙原稿がＭＦＰ２０の自動原稿送り装置又は原稿ガラスにセットされ、図１３（ｄ）の画面において「スキャン実行」ボタンが押下されると、ＭＦＰ２０の読取手段２５は紙原稿のスキャン処理を行う（Ｓ１１）。
【００９８】
次に、画像解析手段２７３は、スキャン処理された結果であるスキャン画像を解析する（Ｓ１２）。
【００９９】
画像解析手段２７３は、スキャン画像から埋め込み情報（申請番号、ユーザＩＤ、機器ＩＤ及び融資申込額）の抽出が可能であるか否かを判定する（Ｓ１３）。埋め込み情報は、図８及び図９に示した方法に基づき埋め込み処理が行われており、画像解析手段２７３により、埋込画像の生成時において埋め込まれた情報と埋め込まれた位置を示す情報とが特定されている。
【０１００】
ここで、スキャン画像から埋め込み情報の抽出が可能である場合（ステップＳ１３においてＹＥＳ）、抽出した埋め込み情報である申請番号、ユーザＩＤ、機器ＩＤ及び融資申込額が、埋め込み情報記憶手段２６に記憶されている各情報と一致するか否かを判定する（Ｓ１４）。
【０１０１】
ここで、抽出した埋め込み情報と、情報記憶手段２６に記憶されている情報とが一致したと判定された場合（ステップＳ１４においてＹＥＳ）、判定手段２７４は、申込書画像送信手段２７５に、原本であることが確認された申込書画像の管理サーバ３０への送信処理を実行させる（Ｓ１５）。そして、管理サーバ３０においてＭＦＰ２０から送信した申込書画像に基づき融資の審査が行われた審査結果を、ＭＦＰ２０の審査結果受信手段２７６が受信すると、表示制御手段２２を介して、審査結果通知画面（図１３（ｅ））を、表示制御手段２２を介してＭＦＰ２０の表示装置に表示させる（Ｓ１６）。
【０１０２】
一方、ステップＳ１３においてスキャン画像から埋め込み情報の抽出が不可であると判定された場合（ステップＳ１３においてＮＯ）又はステップＳ１４において抽出した埋め込み情報と、情報記憶手段２６に記憶されている情報とが一致しないと判定された場合（ステップＳ１４においてＮＯ）、申込書画像送信ＮＧ画面（図１３（ｆ））を、表示制御手段２２を介してＭＦＰ２０の表示装置に表示させる（Ｓ１７）。
【０１０３】
上述したように、本発明の実施形態の融資審査システム１によれば、ＭＦＰ２０におけるユーザ認証後、ＭＦＰ２０に申込書の画像に所定の情報（埋め込み情報）が埋め込まれた埋込画像を生成する。そして、印刷された申込書に対して読取処理が行われた画像に、所定の情報（埋め込み情報）が含まれているか否かを判定することで、申込書が原本であるか否かを判別できる。その判定結果に基づき、申込書画像を管理サーバ３０に送信するか否かを制御できる。
【０１０４】
これにより、例えば第三者が無断で申込書への記入や捺印が行われた場合であっても、ユーザ認証後に印刷された埋め込み情報が含まれた申込書でない限り、その申込書の所定の審査先（管理サーバ３０）に送信されないように制御できる。すなわち、本人確認の精度を高め、不正な申し込みを排除できる。
【０１０５】
また、紙原稿の申込書を所定の審査先に郵送や窓口に行くことなく、ネットワークを介して、本人により記入（捺印）された可能性が高い申込書の画像データに基づき、審査を行うことができ、ユーザの利便性向上を図ることができる。
【０１０６】
また、ＭＦＰ２０において、原本の真正性が確認された申込書画像のみが送信されるように制御することで、管理サーバ３０に原本確認がされていない不要なデータの送信を抑止できる。そのため、ＭＦＰ２０と管理サーバ３０との間のネットワークの負荷や管理サーバ３０の処理負荷を低減できる。
【０１０７】
［変形例］
本発明の実施形態の変形例における融資審査システム１は、申込書の原本確認の処理において、印刷された申込書（紙原稿）に手書きで記入された内容と、埋め込み情報とが一致するか否かを判定する。
【０１０８】
図１５は、本発明の実施形態の変形例における申込書の一例を示す図である。図１５（ａ）は、未記入の状態の印刷された申込書の一例を示す図である。本発明の実施形態における申込書（図７）との相違点は、「融資申込額」が予め印刷されておらず未記入状態である点である。図１５（ｂ）は、変形例における申込書において「融資申込額」が手書きで記入された場合の一例を示す図である。
【０１０９】
図１６は、本発明の実施形態の変形例におけるＭＦＰ２０における申込書の原本確認判定の処理手順の一例を示すフローチャート図である。図１６において本発明の実施形態の場合の処理手順である図１４と同一の処理には同一のステップ番号を付与しており、これらの詳細な説明は省略する。
【０１１０】
ステップＳ１４において、スキャン画像から抽出した埋め込み情報と、情報記憶手段２６に記憶されている情報とが一致したと判定された場合（ステップＳ１４においてＹＥＳ）、判定手段２７４は、スキャン画像に含まれる手書きで記入された申込書の「融資申込額」をＯＣＲ処理により取得し、手書きに基づく「融資申込額」と埋め込み情報で埋め込まれた「融資申込額」とが一致するか否かを判定する（Ｓ１４ａ）。
【０１１１】
そして、手書きに基づく「融資申込額」と埋め込み情報として埋め込まれた「融資申込額」とが一致する場合（ステップＳ１４ａにおいてＹＥＳ）、判定手段２７４は、申込書画像送信手段２７５に、原本であることが確認された申込書画像の管理サーバ３０への送信処理を実行させる（Ｓ１５）。
【０１１２】
一方、手書きに基づく「融資申込額」と埋め込み情報で埋め込まれた「融資申込額」とが一致しない場合（ステップＳ１４ａにおいてＮＯ）、申込書画像送信ＮＧ画面（図１３（ｆ））を、表示制御手段２２を介してＭＦＰ２０の表示装置に表示させる（Ｓ１７）。
【０１１３】
上述したように、本発明の実施形態の変形例における融資審査システム１によれば、申込書の埋め込み情報に基づく原本確認の判定処理だけでなく、申込書の手書きの記入内容（例えば融資申込額）と、ユーザ認証に成功した正規のユーザしか知りえない情報とが一致するか否かが判定される。そして、その判定結果に基づき、申込書画像の送信処理が制御される。
【０１１４】
これにより、例えば、申込書の原本自体が第三者の手に渡ってしまった場合であっても、ユーザ認証に成功した正規のユーザしか知りえない情報と手書きで記入された情報とが一致しない限り、申込書画像は送信されないように制御できる。すなわち、融資の申し込み者の真正性を確実に確認できるようになる。
【０１１５】
なお、変形例における手書きの入力内容は融資申込額に限らず、例えばユーザＩＤやユーザ名又はユーザしか知り得ない所定の暗証番号やキーワード等であってもよい。
【０１１６】
なお、変形例における手書きの入力内容は一つの項目（例えば融資申込額）に限らず、複数の項目（例えば融資申込額及びユーザＩＤ）を組み合わせてもよい。これにより、より融資の申込者の真正性を高い確率で保証できる。
【０１１７】
なお、変形例において、融資申込額が手書きで記入された場合に限らず、融資申込額が印刷された申込書に追加で印字（印刷）されてもよい。
【０１１８】
なお、融資審査システム１は、ユーザの捺印又は署名等のために紙原稿として印刷し、捺印又は署名された紙原稿をスキャンし、所定の宛先に送信するサービスの形態であれば、サービスの種別を問わず、適用できる。このようなサービスの一例は、例えば住民票等（の写し）の取得のような公共サービスである。
【０１１９】
以上、本発明の実施形態について詳述したが、本発明はかかる特定の実施の形態に限定されるものではなく、特許請求の範囲に記載された本発明の要旨の範囲内において、種々の変形、変更が可能である。
【符号の説明】
【０１２０】
１０        ＩＣカード
２０        ＭＦＰ
２１        カード情報取得手段
２２        表示制御手段
２３        入力受付手段
２４        印刷手段
２５        読取手段
２６        埋め込み情報記憶手段
２７        融資実行アプリ
２７１      認証要求手段
２７２      埋込画像生成手段
２７３      画像解析手段
２７４      判定手段
２７５      申込書画像送信手段
２７６      審査結果受信手段
３０        管理サーバ
３１        認証手段
３２        売掛金データ管理手段
３３        申込書画像受信手段
３４        審査手段
３５        審査結果送信手段
４０        ユーザ情報管理ＤＢ
４１        ＭＦＰ情報管理ＤＢ
５０        売掛金管理ＤＢ
６０        融資審査情報管理ＤＢ
７０        取引銀行サーバ
【先行技術文献】
【特許文献】
【０１２１】
【特許文献１】特開２００４−３２０３１８号公報
【図１】
2014236290.tif 000003
【図２】
2014236290.tif 000004
【図３】
2014236290.tif 000005
【図４】
2014236290.tif 000006
【図５】
2014236290.tif 000007
【図６】
2014236290.tif 000008
【図７】
2014236290.tif 000009
【図８】
2014236290.tif 000010
【図９】
2014236290.tif 000011
【図１０】
2014236290.tif 000012
【図１１】
2014236290.tif 000013
【図１２】
2014236290.tif 000014
【図１３】
2014236290.tif 000015
【図１４】
2014236290.tif 000016
【図１５】
2014236290.tif 000017
【図１６】
2014236290.tif 000018